(57)【要約】【課題】  電源印加直後の発振の初期においてもサージ電圧の発生を防止することのできる安価な放電管点灯回路を提供する。【解決手段】  電源Ｖｃｃと、電圧を昇圧させる昇圧トランスＴ１と、回路を共振させるトランジスタＱ１、Ｑ２と、トランジスタＱ１、Ｑ２にベース電流を供給する抵抗Ｒ１、Ｒ２と、トランジスタＱ１、Ｑ２を共振させる共振コンデンサＣ１と、電源に直列接続される抵抗Ｒ３と、チョークコイルＬ１と、昇圧トランスＴ１に接続される冷陰極放電管ＣＣＦＬと、冷陰極放電管ＣＣＦＬに流れる管電流を制限するバラストコンデンサＣ２と、電源Ｖｃｃをオン／オフさせるスイッチＳＷとを備えた放電管点灯回路である。【選択図】      図１
2006252860.tif 000002
【特許請求の範囲】
【請求項１】
ロイヤー方式の放電管点灯回路において、点灯初期のサージ防止をする抵抗を電源に直列に接続したことを特徴とする放電管点灯回路。
【請求項２】
前記電源と、電圧を昇圧させる昇圧トランスと、回路を共振させるトランジスタと、前記トランジスタにベース電流を供給する抵抗と、前記トランジスタを共振させる共振コンデンサと、前記電源に直列接続される前記抵抗と、チョークコイルと、前記昇圧トランスに接続される負荷と、前記負荷に流れる電流を制限するバラストコンデンサと、前記電源をオン／オフさせるスイッチとを備えた請求項１記載の放電管点灯回路。
【請求項３】
前記電源に直列に接続される前記抵抗が、抵抗値３〜３０Ωである請求項１記載の放電管点灯回路。
【請求項４】
前記負荷が、冷陰極放電管である請求項１または２に記載の放電管点灯回路。
【請求項５】
前記負荷が、キセノン放電管である請求項１または２に記載の放電管点灯回路。
【発明の詳細な説明】
【技術分野】
【０００１】
本発明は、冷陰極放電管やキセノン放電管などの放電管を点灯させるための放電管点灯回路に係り、特にロイヤー回路に関する。
【背景技術】
【０００２】
放電管の一種である冷陰極放電管は、スキャナやファクシミリなどの機器の読み取り光源として数多く用いられている。ロイヤー回路は、構成が簡単で安いコストで実現できるため、これらスキャナやファクシミリに用いられる冷陰極放電管の点灯回路として多く使用されている（特許文献１〜３参照）。
【０００３】
図４、図５にロイヤー回路で構成された従来の放電管点灯回路の例を示す。
【０００４】
図４を参照するとロイヤー回路は、電源Ｖｃｃと、電源Ｖｃｃを供給するために開閉する電源スイッチＳＷと、昇圧トランスＴ１と、共振コンデンサＣ１と、ＮＰＮ型のバイポーラトランジスタＱ１、Ｑ２と、トランジスタＱ１、Ｑ２にベース電流を供給する抵抗Ｒ１、Ｒ２と、チョークコイルＬ１と、冷陰極放電管ＣＣＦＬに流れる管電流を制限するバラストコンデンサＣ２とで構成され、昇圧トランスＴ１に冷陰極放電管ＣＣＦＬが接続されている。
【０００５】
電源Ｖｃｃの正極側は、電源スイッチＳＷの一端に接続されており、電源スイッチＳＷの他端はチョークコイルＬ１の一端に接続されており、チョークコイルＬ１の多端は、抵抗Ｒ１、Ｒ２の一端および昇圧トランスＴ１の一次側のタップ端子に接続されている。
【０００６】
抵抗Ｒ２の他端は、トランジスタＱ１のベース端子に接続され、トランジスタＱ１のコレクタ端子は、共振コンデンサＣ１の一端に接続されている。
【０００７】
抵抗Ｒ１の他端は、トランジスタＱ２のベース端子に接続され、トランジスタＱ２のコレクタ端子は、共振コンデンサＣ１の他端に接続されている。
【０００８】
電源Ｖｃｃの負極側は、トランジスタＱ１、Ｑ２のエミッタ端子に接続されており、トランジスタＱ１のコレクタ端子は共振コンデンサＣ１の一端および昇圧トランスＴ１の一次側のタップ端子がある側の巻き線の一端に接続されており、トランジスタＱ２のコレクタ端子は共振コンデンサＣ１の他端および昇圧トランスＴ１の一次側のタップ端子がある一次側の巻き線の他端に接続されている。
【０００９】
抵抗Ｒ２の他端は、昇圧トランスＴ１の一次側のタップ端子がない一次側の巻き線の一端に接続されており、抵抗Ｒ１の他端は、昇圧トランスＴ１の一次側のタップ端子がない一次側の巻き線の他端に接続されている。
【００１０】
昇圧トランスＴ１の二次側巻き線の一端は、バラストコンデンサＣ２の一端に接続され、バラストコンデンサＣ２の他端は、冷陰極放電管ＣＣＦＬの一端に接続され、冷陰極放電管ＣＣＦＬの他端は、電源Ｖｃｃの負極側および昇圧トランスＴ１の二次側巻き線の他端に接続されている。
【００１１】
また、図５に示すようなロイヤー回路も同様の放電管点灯回路として周知である。
【００１２】
図５のロイヤー回路は、図４に示すロイヤー回路と比較してみると明らかなように、部品構成は図４のロイヤー回路と同じであるが、接続が異なる点がある。
【００１３】
図５の接続をみると、電源スイッチＳＷの他端はチョークコイルＬ１の一端に接続されるとともに、抵抗Ｒ１、Ｒ２の一端に接続され、チョークコイルＬ１の他端は昇圧トランスＴ１の一次側のタップ端子に接続されている。その他の接続は、図４のロイヤー回路と同様である。
【００１４】
図４および図５に示すこのようなロイヤー回路は、電源スイッチＳＷを閉じて電源Ｖｃｃをロイヤー回路に供給すると、トランジスタＱ１、Ｑ２、共振コンデンサＣ１、昇圧トランスＴ１などが共振することによりロイヤー回路が自励発振を開始し、一定時間後に安定した発振状態に達する。ロイヤー回路が発振状態になるとトランジスタＱ１、Ｑ２は交互にＯＮ／ＯＦＦを繰り返し、それぞれのトランジスタＱ１、Ｑ２のベース−エミッタ間には、図６に示すように、正の電圧と負の電圧が交互に繰り返す電圧が発生する。
【００１５】
図６の上方のグラフは、図４、図５のＶ１点の電圧を示し、図６の下方のグラフは、図４、図５のトランジスタＱ１のベース−エミッタ間の電圧ＶＢＥ１を示す。
【００１６】
上方のグラフの横軸は時間を示し、グラフの縦軸はＶ１点の電圧を示す。下方のグラフの横軸は時間を示し、グラフの縦軸はベース電圧ＶＢＥ１を示す。
【００１７】
上方のグラフから分かるように、電源スイッチＳＷを閉じたことにより、Ｖ１点の電圧は時間軸のＳＷ  ＯＮの時間をスタートに電圧０Ｖから急速に電源Ｖｃｃの電圧まで上昇する。これに応じて、放電管点灯回路は自励発振を始め、下方のグラフに示すように電源スイッチＳＷを閉じたことにより、Ｖ１点の電圧は時間軸のＳＷ  ＯＮの時間をスタートに自励発振を始め電圧０Ｖから正の電圧と負の電圧が交互に繰り返す電圧が発生する。この負の電圧はトランジスタＱ１のベース−エミッタ間に逆方向の電圧として印加される。
【００１８】
この負の電圧はトランジスタＱ１のベース−エミッタ間に逆方向の電圧として印加されるため、トランジスタＱ１、Ｑ２のベース−エミッタ間耐電圧ＶＢＥよりも小さくなるように昇圧トランスＴ１を設計する。具体的には通常耐電圧ＶＢＥは５〜１０Ｖであるので発生する負の電圧は−３〜−７Ｖとなるように設計する。
【特許文献１】特開２００４−１１９２０６号公報
【特許文献２】特開２００４−１２７８７４号公報
【特許文献３】特開２００３−３０９０２６号公報
【発明の開示】
【発明が解決しようとする課題】
【００１９】
しかしながら、電源電圧が印加された直後のロイヤー回路が発振を開始した初期の状態においてはベース−エミッタ間に不規則なサージ状の電圧が発生することがあった。
【００２０】
図６の下方に示すグラフを詳細にみると、トランジスタＱ１（または、トランジスタＱ２）のベース−エミッタ間の電圧ＶＢＥ１では、電源スイッチＳＷのＯＮ直後に強いサージ電圧が発生していることが確認できる。これは、トランジスタＱ１、Ｑ２のベース−エミッタ間の耐電圧ＶＢＥを越えることがあり、トランジスタＱ１、Ｑ２の劣化や破壊の原因となっていた。
【００２１】
従来このサージ電圧の影響を除くには、トランジスタＱ１、Ｑ２のコレクター−エミッタ間にダンパダイオードを配置したり、トランジスタＱ１、Ｑ２のベース−エミッタ間にサージ吸収素子を配置したり、あるいは電源Ｖｃｃ電圧の立ち上がりを遅くするといった方法が取られてきた。
【００２２】
しかし、ダンパダイオードやサージ吸収素子を入れることによって構成するロイヤー回路の価格が上昇するという問題があった。
【００２３】
また、電源電圧の立ち上がりを遅くすることは、サージの大きさをある程度小さくする効果はあっても、サージの発生そのものを防止する効果は無く、対策に多大な努力を要する割には確実な対策とは言えないという問題があった。
【００２４】
そこで本発明の目的は、電源印加直後の発振の初期においてもサージ電圧の発生を防止することのできる安価な放電管点灯回路を提供することにある。
【課題を解決するための手段】
【００２５】
上記目的を達成するために、本発明の放電管点灯回路の第１の発明は、ロイヤー方式の放電管点灯回路において、点灯初期のサージ防止をする抵抗を電源に直列に接続した放電管点灯回路である。
第２の発明は、前記電源と、電圧を昇圧させる昇圧トランスと、回路を共振させるトランジスタと、前記トランジスタにベース電流を供給する抵抗と、前記トランジスタを共振させる共振コンデンサと、前記電源に直列接続される前記抵抗と、チョークコイルと、前記昇圧トランスに接続される負荷と、前記負荷に流れる電流を制限するバラストコンデンサと、前記電源をオン／オフさせるスイッチとを備えたものである。
【００２６】
第３の発明は、前記電源に直列に接続される前記抵抗が、抵抗値３〜３０Ωであるものである。
第４の発明は、前記負荷が、冷陰極放電管であるものである。
第５の発明は、前記負荷が、キセノン放電管であるものである。
【００２７】
本発明によれば、従来の回路に抵抗器１個を電源に直列に接続することで、電源印加直後の発振の初期においてトランジスタの耐圧を越えるサージ電圧の発生を防止することができる。
【発明の効果】
【００２８】
本発明によれば、電源印加直後の発振の初期においてもサージ電圧の発生を防止することのできる安価な放電管点灯回路を得られる。
【発明を実施するための最良の形態】
【００２９】
本発明を実施するための形態について図面を参照して詳細に説明する。
【００３０】
図１は、本実施形態のロイヤー方式の放電管点灯回路の構成例を示すブロック図である。
【００３１】
図１を参照すると、放電管点灯回路は、直流の電源Ｖｃｃと、電圧を変換・昇圧する昇圧トランスＴ１と、回路を共振させるＮＰＮバイポーラ形のトランジスタＱ１、Ｑ２と、トランジスタを共振させる共振コンデンサＣ１と、トランジスタＱ１、Ｑ２にベース電流を供給する抵抗Ｒ１、Ｒ２と、電源Ｖｃｃに直列接続される抵抗Ｒ３と、チョークコイルＬ１と、昇圧トランスＴ１に接続される負荷としての冷陰極放電管ＣＣＦＬと、この冷陰極放電管ＣＣＦＬに流れる管電流を制限するバラストコンデンサＣ２と、電源をオン／オフさせるスイッチＳＷとを備えて構成される。
【００３２】
本発明による回路は、従来のロイヤー回路に、放電管点灯初期のサージ防止をする抵抗Ｒ３を電源Ｖｃｃに直列に配置・接続したことを特徴とする。
【００３３】
なお、具体的に挿入する抵抗Ｒ３の抵抗値は代表的な例として３〜３０Ωであるとよい。
【００３４】
電源Ｖｃｃの正極側は、電源スイッチＳＷの一端に接続されており、電源スイッチＳＷの他端は、抵抗Ｒ３の一端に接続されている。抵抗Ｒ３の他端は、チョークコイルＬ１の一端に接続されており、チョークコイルＬ１の多端は、抵抗Ｒ１、Ｒ２の一端および昇圧トランスＴ１の一次側巻線であるコイルＬ２、Ｌ３のタップ端子に接続されている。
【００３５】
抵抗Ｒ２の他端は、トランジスタＱ１のベース端子に接続され、トランジスタＱ１のコレクタ端子は、共振コンデンサＣ１の一端に接続されている。
【００３６】
抵抗Ｒ１の他端は、トランジスタＱ２のベース端子に接続され、トランジスタＱ２のコレクタ端子は、共振コンデンサＣ１の他端に接続されている。
【００３７】
電源Ｖｃｃの負極側は、トランジスタＱ１、Ｑ２のエミッタ端子に接続されており、トランジスタＱ１のコレクタ端子は共振コンデンサＣ１の一端および昇圧トランスＴ１の一次側巻線であるコイルＬ２の黒点側端子に接続されており、トランジスタＱ２のコレクタ端子は共振コンデンサＣ１の他端および昇圧トランスＴ１の一次側巻線であるコイルＬ３の非黒点側端子に接続されている。
【００３８】
抵抗Ｒ２の他端は、昇圧トランスＴ１の一次側のコイルＬ４の非黒点側端子に接続されており、抵抗Ｒ１の他端は、昇圧トランスＴ１の一次側巻線であるコイルＬ４の黒点側端子に接続されている。
【００３９】
昇圧トランスＴ１の二次側巻線であるコイルＬ５の黒点側端子は、バラストコンデンサＣ２の一端に接続され、バラストコンデンサＣ２の他端は、冷陰極放電管ＣＣＦＬの一端に接続され、冷陰極放電管ＣＣＦＬの他端は、電源Ｖｃｃの負極側および昇圧トランスＴ１の二次側巻線であるコイルＬ５の非黒点側端子に接続されている。
【００４０】
次に図１に示す放電管点灯回路の動作について説明する。
【００４１】
電源スイッチＳＷをオン（閉）にすると、電源ＶｃｃからスイッチＳＷ、抵抗Ｒ３
チョークコイルＬ１、抵抗Ｒ１、Ｒ２を経由して、トランジスタＱ１、Ｑ２に電流が流れ込もうとし、トランジスタＱ１、Ｑ２の僅かな特性の違いから、トランジスタＱ１のベース−エミッタ間、トランジスタＱ２のベース−エミッタ間のいずれかに電流が流れる。
【００４２】
例えば、トランジスタＱ１の側に電流が流れた場合には、トランジスタＱ１はオンになり、電流の流れは、電源Ｖｃｃの正極側から電源スイッチＳＷ、抵抗Ｒ３、チョークコイルＬ１、抵抗Ｒ２、トランジスタＱ１のベースからエミッタを経て、電源Ｖｃｃの負極側に至る経路である。このとき、トランジスタＱ２のベース−エミッタ間には電流は流れておらず、トランジスタＱ２はオフとなっている。
【００４３】
トランジスタＱ１がオンになったことにより、トランジスタＱ１のコレクタ−エミッタ間にも電流が流れ始め、コイルＬ２、Ｌ３の非黒点側から黒点側に電流が流れる。この電流の流れにより発生する誘導磁界は、コイルＬ４の非黒点側から黒点側に誘導電流を流すようにはたらく。
【００４４】
この誘導電流は、トランジスタＱ２がオフ状態にあるためトランジスタＱ２には流れ込めず、抵抗Ｒ１、Ｒ２を介してトランジスタＱ１のベースに流れ込み、トランジスタＱ１のオン状態をより深いオン状態にする。このトランジスタＱ１のオン状態により、コイルＬ２、Ｌ３の非黒点側から黒点側にさらに電流が流れるようになる。
【００４５】
この昇圧トランスＴ１の一次側コイルＬ２、Ｌ３の電流の流れにより発生する磁界で、トランスＴ１の二次側のコイルＬ５の非黒点側から黒点側、バラストコンデンサＣ２を経由して誘導電流が冷陰極放電管ＣＣＦＬに流れ、冷陰極放電管ＣＣＦＬが点灯を始める。
【００４６】
昇圧トランスＴ１の一時巻線であるコイルＬ２、Ｌ３、Ｌ４の両端に生じる誘起電圧は、時間とともに電圧降下するが、昇圧トランスＴ１の磁気飽和により、昇圧トランスＴ１の磁束は増加する。この昇圧トランスＴ１の磁束が飽和磁束に至ると、磁束の変化はなくなるので、一次側のコイルＬ４の両側に誘起される電圧は降下して０になる。この誘起電圧が０になることで、トランジスタＱ１のベース電流およびコレクタ電流は流れなくなる。
【００４７】
トランジスタＱ１に電流が流れなくなると、コイルＬ２、Ｌ３、Ｌ４の両端には黒点側から非黒点側に逆電圧が発生し、コイルＬ４から、抵抗Ｒ２、Ｒ１を介してトランジスタＱ２にベース電流が流れるとともに、コイルＬ３の非黒点側からトランジスタＱ２のコレクタ−エミッタに向かい電流が流れ込もうとし、トランジスタＱ２がオンになる。電源Ｖｃｃからの電流の流れは、電源Ｖｃｃの正極側から電源スイッチＳＷを経由して、抵抗Ｒ３、チョークコイルＬ１、抵抗Ｒ１、トランジスタＱ１のベース−エミッタ、電源Ｖｃｃの負極側の順に流れる。
【００４８】
このとき、トランジスタＱ１のベース−エミッタ間には電流は流れておらず、トランジスタＱ１はオフとなっている。
【００４９】
トランジスタＱ２がオンになり、トランジスタＱ２のコレクタ−エミッタ間にも電流が流れ、コイルＬ２、Ｌ３の黒点側から非黒点側に電流が流れる。この電流の流れにより発生する誘導磁界は、コイルＬ４の黒点側から非黒点側に誘導電流を流すようにはたらく。
【００５０】
この誘導電流は、トランジスタＱ１がオフ状態にあるためトランジスタＱ１には流れ込めず、抵抗Ｒ２、Ｒ１を介してトランジスタＱ２のベースに流れ込み、トランジスタＱ２のオン状態をより深いオン状態にする。このトランジスタＱ２のオン状態により、コイルＬ２、Ｌ３の黒点側から非黒点側にさらに電流が流れるようになる。
【００５１】
この昇圧トランスＴ１の一次側コイルＬ２、Ｌ３の電流の流れにより発生する磁界で、バラストコンデンサＣ２を経由してトランスＴ１の二次側のコイルＬ５の黒点側から非黒点側に誘導電流が流れ、冷陰極放電管ＣＣＦＬに流れ込み、冷陰極放電管ＣＣＦＬが点灯する。
【００５２】
昇圧トランスＴ１の一時巻線であるコイルＬ２、Ｌ３、Ｌ４の両端に生じる誘起電圧は、時間とともに電圧降下するが、昇圧トランスＴ１の磁気飽和により、昇圧トランスＴ１の磁束は増加する。この昇圧トランスＴ１の磁束が飽和磁束に至ると、磁束の変化はなくなるので、一次側のコイルＬ４の両側に誘起される電圧は降下して０になる。この誘起電圧が０になることで、トランジスタＱ２のベース電流およびコレクタ電流は流れなくなり、トランジスタＱ２はオフになる。
【００５３】
このように、トランジスタＱ１、Ｑ２は、交互にオン／オフを繰返し、放電管点灯回路（ロイヤー回路）は、共振コンデンサＣ１もトランジスタＱ１、Ｑ２、コイルＬ２〜４などとともに共振して、自励発振を開始し、一定時間後に安定した発振状態になり、負荷として接続された冷陰極放電管ＣＣＦＬが点灯する。
【００５４】
このように動作する放電管点灯回路の出力電圧を図２に示す。
【００５５】
図２の上方のグラフは、図１のＶ１点の電圧を示し、図２の下方のグラフは、図１のトランジスタＱ２のベース−エミッタ間の電圧ＶＢＥ１を示す。
【００５６】
上方のグラフの横軸は時間を示し、グラフの縦軸はＶ１点の電圧を示す。下方のグラフの横軸は時間を示し、グラフの縦軸はベース電圧ＶＢＥ１を示す。
【００５７】
上方のグラフから分かるように、電源スイッチＳＷを閉じたことにより、Ｖ１点の電圧は時間軸のＳＷ  ＯＮの時間をスタートに電圧０Ｖから急速に電源Ｖｃｃの電圧まで上昇する。これに応じて、放電管点灯回路は自励発振を始め下方のグラフに示すように電源スイッチＳＷを閉じたことにより、ベース電圧ＶＢＥ１は時間軸のＳＷ  ＯＮの時間をスタートとして自励発振を始め、電圧０Ｖから正の電圧と負の電圧が交互に繰り返す電圧が発生する。この負の電圧はトランジスタＱ２のベース−エミッタ間に逆方向の電圧として印加される。
【００５８】
ここで、図６の下方に示すグラフと比較してみると、図４、図５に示す従来回路では、トランジスタＱ１（トランジスタＱ２でも、トランジスタＱ１と同様の動作をし、同様の電圧が発生する。）のベース−エミッタ間の電圧ＶＢＥ１は、電源スイッチＳＷのＯＮ直後に強いサージ電圧が発生していることが確認できる。これは、トランジスタＱ１のベース−エミッタ間の耐電圧ＶＢＥ（図２、図６の下方のグラフで、Ｂ−Ｅ間耐圧と表示した電圧）を越えており、トランジスタＱ１の破損に繋がる。これに対して、本実施例の放電管点灯回路においては、図２の下方のグラフから分かるように、電源スイッチＳＷのＯＮ直後においてトランジスタＱ２（または、トランジスタＱ１）ののベース−エミッタ間の電圧ＶＢＥ１にはサージ電圧は発生しておらず、放電管点灯回路に正常な自励発振のみが生じており、トランジスタＱ１、Ｑ２のベース−エミッタ間の耐電圧ＶＢＥを越えるような電圧は生じていないことが分かる。
【００５９】
このように放電管点灯回路は、従来のロイヤー回路に、抵抗Ｒ３を電源Ｖｃｃに直列の配置するという簡単な手段により電源印加時にトランジスタのベース端子に発生するサージ電圧を防止し、サージ電圧によるトランジスタの破壊を防ぐことができる。
【００６０】
本実施の形態の放電管点灯回路は、図１に示すような接続に限定されるものではない。部品構成は図１と同様であるが、接続の異なる放電管点灯回路を図３に示す。
【００６１】
部品構成については、上の図１の説明において詳細に述べたので省略する。
【００６２】
図３を参照すると、抵抗Ｒ３の他端はチョークコイルＬ１の一端に接続されるととも抵抗Ｒ１、Ｒ２の一端に接続されている。チョークコイルＬ１の多端は、昇圧トランスＴ１の一次側巻線であるコイルＬ２、Ｌ３のタップ端子に接続されている。
【００６３】
この放電管点灯回路の他の接続は、図１の放電管点灯回路の接続と同様であるので、接続の詳細な説明は省略する。
【００６４】
このような放電管点灯回路においても、図１に示す放電管点灯回路と同様の動作をし、図２に示すような同様の効果が得られる。
【００６５】
すなわち、図２の下方のグラフから分かるように、電源スイッチＳＷのＯＮ直後においてサージ電圧はまったく発生しておらず、放電管点灯回路に正常な自励発振のみが生じており、トランジスタＱ１、Ｑ２のベース−エミッタ間の耐電圧ＶＢＥを越えるような電圧は生じていないことが分かる。
【００６６】
以上説明した放電管点灯回路により、次に示すような優れた効果を得られる。
【００６７】
（１）本実施の形態の放電管点灯回路は、電源電圧の立ち上がりを遅くすることなく、サージ電圧の発生そのものを防止する効果があり、ベース−エミッタ間耐電圧ＶＢＥを越えることがなくなることでトランジスタの耐圧破壊が防止でき、トランジスタの劣化や破壊が防止できる。
【００６８】
（２）本実施の形態の放電管点灯回路は、従来のロイヤー回路と異なり、ダンパダイオードやサージ吸収素子を入れることなく、安価な抵抗を電源に直列に接続するという簡単な手段により電源印加直後発振の初期においてサージ電圧の発生を防止することができる低コストの放電管点灯回路を実現できる。
【００６９】
（３）本実施の形態の放電管点灯回路は、回路の信頼性を向上させることができ、さらにはこの放電管点灯回路を使用するスキャナ、ファクシミリなどの機器の信頼性を向上させることにも寄与する。
【００７０】
なお、本回路は冷陰極放電管の点灯回路として用いられるロイヤー回路に限定するものではなく、キセノン放電管等の放電灯の点灯回路に用いられるロイヤー回路や類似した回路にも適用できる。
【００７１】
また、実施の形態や従来回路例には、バラストコンデンサＣ２で放電管に流れる冷陰極管電流を制限する回路の実施の形態を示したが、バラストコンデンサＣ２を用いず昇圧トランスＴ１に漏洩インダクタンスを持たせることによって放電管に流れる管電流を制限するロイヤー回路にも同様の効果が得られる。
【００７２】
さらに、本発明の実施の本質は放電管点灯回路の電源Ｖｃｃに抵抗Ｒ３を直列に挿入することにあり、実施例では放電管点灯回路の電源Ｖｃｃの正極側に抵抗を挿入したが、負極側に抵抗Ｒ３を挿入しても放電管点灯回路の電源Ｖｃｃおよび抵抗Ｒ３が直列に配置されることには変わりがなく、同様の効果が得られる。
【００７３】
また、トランジスタＱ１、Ｑ２は、バイポーラ型のＮＰＮタイプのトランジスタに限定されず、他の素子も含めて同様の動作をする素子であればよい。
【図面の簡単な説明】
【００７４】
【図１】本実施形態の放電管点灯回路の構成例を示すブロック図である。
【図２】本実施形態の放電管点灯回路の各部の電圧波形を示す図である。
【図３】本実施形態の放電管点灯回路の接続が異なる実施構成例を示すブロック図である。
【図４】従来の放電管点灯回路の構成例を示すブロック図である。
【図５】図４とは接続の異なる従来の放電管点灯回路の構成例を示すブロック図である。
【図６】従来の放電管点灯回路の各部の電圧波形を示す図である。
【符号の説明】
【００７５】
Ｃ１    共振コンデンサ
Ｃ２    バラストコンデンサ
ＣＣＦＬ    冷陰極放電管
Ｑ１、Ｑ２    トランジスタ
Ｌ１    チョークコイル
Ｌ２    昇圧トランスの一次側巻線コイル
Ｌ３    昇圧トランスの一次側巻線コイル
Ｌ４    昇圧トランスの一次側巻線コイル
Ｌ５    昇圧トランスの二次側巻線コイル
Ｒ１、Ｒ２、Ｒ３    抵抗
ＳＷ    電源スイッチ
Ｔ１    昇圧トランス
Ｖｃｃ    電源
【図１】
2006252860.tif 000003
【図２】
2006252860.tif 000004
【図３】
2006252860.tif 000005
【図４】
2006252860.tif 000006
【図５】
2006252860.tif 000007
【図６】
2006252860.tif 000008